(57)【要約】【課題】電気掃除機本体に、部品点数が少なく、組み付けやすいフィルター収納室を構成し、生産効率を上げ、電気掃除機本体質量が軽く取扱性が良い電気掃除機を提供すること。【解決手段】本体集塵室後部排気通路において、本体上面に補助集塵スペースとしてフィルター収納室を設け、排気通路側にスリットによる仕切りを付けることにより排気が容易にフィルター収納室に流れ込むことができ、また前記フィルター収納室には外観面に一部が光の透過性を持つシート状部材を配設し、そのシート状部材の下にハニカム構造など格子状の部材を配設させ、更に前記格子部材の下に光触媒抗菌機能を持つ排気フィルターを配設し、また光の透過性を持つシート状部材はＬＥＤの表示部や本体運転スイッチ用のエンボス部を一体に構成することによる。【選択図】  図１
2004236931.tif 000002
【特許請求の範囲】
【請求項１】
本体集塵室後部排気通路において、本体上面にフィルター収納室を設け、排気通路側にスリットによる仕切りを付けることにより排気が容易にフィルター収納室に流れ込むことができ、また前記フィルター収納室は外観面に一部が光の透過性を持つ部材を配設することを特長とする電気掃除機。
【請求項２】
請求項１において、光の透過性を持つ部材は、ＬＥＤの表示部を一体に持つことを特長とする電気掃除機。
【請求項３】
請求項１において、光の透過性を持つ部材は、シート部材で形成され、本体運転スイッチ用のエンボス部を一体に構成したことを特長とする電気掃除機。
【請求項４】
請求項１において、フィルター収納室は外観面を一部が光の透過性がある部材を設け、そのシート部材の下にハニカム構造など格子状の部材を配設させたことを特長とする電気掃除機。
【請求項５】
請求項１または請求項４において、光の透過性を持つ部材又は格子状の部材の下に、光触媒を練り込み又は添着したフィルターを配設したことを特長とする電気掃除機。
【発明の詳細な説明】
【０００１】
【発明の属する技術分野】
本発明は、家庭用電気掃除機に関する。
【０００２】
【従来の技術】
従来の電気掃除機に光触媒抗菌機能を持つフィルターを具備している掃除機が実用化されている。
【０００３】
【発明が解決しようとする課題】
上記の技術において、電気掃除機本体に、フィルター収納室を構成するために、別部材が必要となり部品点数が増加し、生産効率が低下したり、電気掃除機本体質量が増加して取扱性が悪くなるという欠点があった。
【０００４】
そこで本発明の目的は、上記課題を解決し、部品点数減少による生産性の向上と質量低減による取扱性を向上させるために、本体上面に補助的な集塵スペースとして設けたフィルター収納室を本体集塵室後部と一体化させ、また前記フィルター収納室において光の透過性をもつシート状の部材にＬＥＤ表示部や本体運転スイッチ用のエンボス部を一体化させたことを特長とする電気掃除機を提供することにある。
【０００５】
【課題を解決するための手段】
上記課題を解決するために本発明の特長とするところは、本体集塵室後部排気通路において、本体上面に補助集塵スペースとしてフィルター収納室を設け、排気通路側にスリットによる仕切りを付けることにより排気が容易にフィルター収納室に流れ込むことができ、また前記フィルター収納室には外観面に一部が光の透過性を持つシート状部材を配設し、そのシート状部材の下にハニカム構造など格子状の部材を配設させ、更に前記格子部材の下に光触媒抗菌機能を持つ排気フィルターを配設し、また光の透過性を持つシート状部材はＬＥＤの表示部や本体運転スイッチ用のエンボス部を一体に構成することによる。
【０００６】
【発明の実施の形態】
以下本発明の実施の形態の一例について、添付の図面を用いて説明する。
【０００７】
図３は本発明の形態に係る電気掃除機の全体斜視図である。図３において１００は制御回路や電動送風機等が内蔵された掃除機本体、２０１は掃除機本体１００の前部に接続された集塵室と連通する本体側継手、２０２は筒状に形成されたこの筒部に本体継手が回動可能に接続され、使用者が手で持つことが可能なように把手を有する把手部、３０１は本体継手２０１の他端側に回動可能に接続されたホース、４０１はホース３０１の他端側が回動可能に接続され、掃除機の運転の入切を行うスイッチ手段を有する手元操作部である。６０１は手元操作部４０１の他端が接続された延長管、７０１は６０１延長管の他端に接続された吸口体である。
【０００８】
まず掃除機本体について説明する。
【０００９】
掃除機本体１００は、移動用車輪１６０を有する下ケース１０１と、その前部に吸込ホースを接続する吸込口２１０を有し、下ケース１０１の上部を覆い、集塵袋１０４を収納する集塵室１０５を形成する蓋体１０３を有している。集塵室１０５の下部を形成している下ケース１０１の壁面上部にはパッキン１０９が配設され、蓋体１０３を閉じたときに、蓋体１０３から突設されている気密保持リブ２２０が圧接されることにより、集塵室１０５の気密を保持するようになっている。また蓋体１０３の前部には係合爪１７０が形成されていて、蓋体１０３を閉じたときに、吸込口２１０に設けられた係合穴１７１に係止され、掃除機使用中の振動等で不用意に蓋体１０３が開くことのないようにしてある。集塵袋１０４は口紙１７２がクランプ１７３の爪に係止されることで、吸込口２１０と下ケース１０１との間に挟持された吸込口パッキン１７９に圧接保持されている。クランプ１７３は、集塵室後方に向かって倒れるようにバネ１７４で付勢されており、集塵袋１０４がセットされていない場合には、蓋体１０３から突設されたストッパーリブ１７５と干渉して、使用者が集塵袋１０４を入れ忘れたまま蓋体１０３を閉じて掃除機の運転を始めることがないようにしてある。
【００１０】
また、掃除機本体１００はその後部に下ケース１０１と上ケース１０２で形成された電動送風機室１８０およびコードリール室１９０を有している。電動送風機室１８０と集塵室１０５とは隔壁１５０により仕切られ、隔壁１５０に設けられた電動送風機１０７への吸気口１５１となる格子部１５２により連通している。
【００１１】
電動送風機室１８０には、電動送風機１０７の吸気側が格子部１５２およびフィルター１０６を介して集塵室１０５に臨むように電動送風機１０７を収納保持している。電動送風機１０７は前側を防振ゴム１１２で支えられ、後側を防振ゴム１１３で支えられている。
【００１２】
コードリール室１９０は、電源コード１５３を巻き取って本体内部に収納するためのコードリール１０８を収納保持している。
【００１３】
掃除機本体１００の後面には排気口１７６が設けられており、また掃除機本体１００側面の車輪１６０取付け側面にも大円型排気口１７７ａ、小円型排気口１１７ｂが左右それぞれに設けられており、集塵袋１０４、フィルター１０６で濾過された空気は、電動送風機１０７の内部を冷却しながら後面排気口１７６や側面大円型排気口１７７ａ、側面小円型排気口１７７ｂから排出される。
【００１４】
電動送風機１０７は送風機部１５４と電動機部１５５からなり、送風機部１５４の後部には通風路１５６が設けられており、送風機部１５４の排気の一部はこの通風路１５６から排出される。吸音材１１７は下ケース１０１内に接着剤等により接着されている。本実施の形態ではこれら吸音材１１７を複数に分割して設けているが、これに限定されることなく必要に応じて吸音材を一体に形成して下ケース１０１に接着するようにしてもよい。
【００１５】
電動送風機室１８０に保持された電動送風機１０７の上方にはインナーケース１１１が設けられ、電動送風機１０７の上方を覆うとともに、電動送風機室１８０の上壁面を構成している。電動送風機室１８０内において、電動送風機１０７の排気口を有する電動機部側の外周には難燃性の吸音材１１５が配設されている。インナーケース１１１の上部には電動送風機１０７の回転数を制御する制御回路基板１４０が配設され、制御回路基板１４０はインナーケース１１１の制御回路取付け面１８１から上方に突設したリブ１８２と上ケース１０２から下方に突設したリブ１８３により構成された制御回路収納室１８４に納められている。
【００１６】
制御回路基板１４０には、本体の運転の表示を行う表示素子１４１、集塵袋１０４に塵埃が溜り、ゴミ捨て時期が来た場合に表示する表示素子１４２および手元操作部からの信号を受信する受光部１４３を設けた制御回路基板１４０をＬＥＤホルダー１４４を介して取付け、制御回路基板１４０を上ケース１０２の外表面近くに設けることにより、手元操作部からの受信の信頼性を確保するとともに、表示素子の点灯を見えやすくしている
電動送風機室１８０内において、電動送風機１０７の外周とインナーケース１１１との間には、電動送風機１０７の排気を流す第１の通風路となるモータカバー内通風路１２０とが形成されている。また、インナーケース１１１と上ケース１０２との間には、上ケース内通風路１２１が形成され、防振ゴム１１２を支える円筒形リブ１１４の外周には第３の通風路となる通風路１２２が形成されている。さらに、電動送風機１０７の上方には、通風路１２２と連通する上フィルター１２３の収納空間を兼ねた第４の通風路となるフィルター収納室１２４が形成されている。
【００１７】
電動送風機１０７から出た排気は、モータカバー１１０内通風路１２０内をそれぞれ電動送風機１０７の外周に沿って流れ、モーターカバー１１０を通過する。モーターカバー１１０を通過した排気は後部排気口１７６や側面大円型排気口１７７ａ、側面小円型排気口１７７ｂから排出される。また、排気の一部は通風路１２２を通過し、上フィルター１２３の収納空間を兼ねた第４の通風路となるフィルター収納室１２４に格子１２５ａより流入する。フィルター収納室１２４では、流入した排気が上フィルター１２３の全体に渡り、排気は格子１２５ｂより排出し、上ケース内通風路１２１と合流し、排気口１７８より掃除機本体外に排出される。
【００１８】
次にフィルター収納室１２４の構成について説明する。
【００１９】
フィルター収納室は大きく３段階の段差によって部材の位置決めを促す。基板に近い側からフィルター１２３をのせる段差１９１、次にフィルターオサエ１２６のフィルター１２３への落ち込み防止と位置決めの役目をする段差１９２、外観面に位置し、補助集塵室１２４の構築と排気通風路１２１の形成を隙間無く、外観面も美化させるカザリシート１２７位置決め段差１９３によって各部材の位置決めがし易く、生産効率が上がるものと考える。
【００２０】
通風路１２２とフィルター収納室１２４との間には、開口部を有し格子状にリブが配設された上フィルター１２３の下方向の移動を抑制する格子１２５が配設されている。この格子１２５は排気が流入し易く且つ、上フィルター１２３を支持するために設けられているものである。格子１２５は排気通風路１２２に面した前側格子１２５ａから排気が上フィルター１２３を介してフィルター収納室１２４に流入し、排気通風路１２１に面した後側格子１２５ｂから排気通風路１２１に流入するようにフィルター保持枠が形成されている。フィルター収納室１２４に収納される上フィルター１２３は静電フィルター等を配設することが可能であるが、本実施の形態では、抗菌作用があり光触媒粒子が塗り込まれた又は添着された光触媒抗菌フィルターを配設している。
【００２１】
また、上フィルター１２３を排気通風路１２１からフィルター収納室に流入してくる排気による浮き上がりを防ぐためと、光の透過性があるシート状の部材カザリシート１２７支持のため、フィルターオサエ１２６をハニカム状、格子状、又はそれに相当する構造の部材で配設している。また、カザリシート１２７はフィルターオサエ１２６を介し、上フィルター１２３を押さえる目的と、排気の漏れを防ぐために上ケース１０２の外観面に接着剤等により接着されている。
【００２２】
カザリシート１２７は一部が光の透過性がある部材を用い、フィルターオサエ１２６を通って、光が上フィルター１２３に差し込む構造になっている。これにより、上フィルター１２３に集塵された紫外線に弱い細菌やダニが殺菌されると共に、上フィルター１２３を光触媒抗菌効果のある部材にすることにより抗菌、消臭効果が向上する。
【００２３】
また、光の透過性を持つシート状の部材カザリシート１２７はＬＥＤの表示部を一体としている。制御回路基板１４０上のＬＥＤ素子１４１の発光する光をウエケース１０２のフィルターに隣接配設された透明部材導光管１３１により、ＬＥＤの発光する光を導きカザリシート１２７のＬＥＤ表示部から発光する。
【００２４】
更に、シート状の部材カザリシート１２７は本体運転スイッチ用のエンボス部１３３を一体に構成し、制御回路基板１４０上の運転スイッチボタンを押す。また、導光管１３１の代わりに半透明黒色部材の受光カバー１３２を上ケース１０２に組み付けることによってカザリシート１２７の穴部分から受光カバードーム形状が突起する。突起した受光カバー１３２が手元操作部４０１の送信部４０２から送信された光を集光させて、基板１４０上の受光素子１４３によって受光される。
【００２５】
また、ＬＥＤ表示部や運転表示部、本体運転スイッチ用エンボス部を一体に構成することによって外観性にもすぐれ、メンテナンス性にも優れた電気掃除機を提供することができるものである。
【００２６】
【発明の効果】
以上説明したように本発明によれば、フィルタースペースの増加による排気集塵機能の向上と、部品点数の低減、フィルター収納室の段差構造による組立性向上と質量減少による取扱性が向上した電気掃除機を提供することが出来る。
【図面の簡単な説明】
【図１】本発明の一実施例を示す本体縦断面図。
【図２】本発明の一実施例を示す制御回路基板。
【図３】本発明の一実施例を示す本体斜視図。
【図４】本発明の一実施例を示す本体縦断面図。
【図５】本発明の一実施例を示す本体断面図。
【図６】本発明の一実施例を示す本体斜視図。
【図７】本発明の一実施例を示すフィルターオサエと導光管と受光カバー斜視図。
【図８】本発明の一実施例を示すウエケース斜視図。
【図９】本発明の一実施例を示すインナーケース斜視図。
【符号の説明】
１００…電気掃除機本体、１０１…下ケース、１０２…上ケース、１０３…集塵蓋、１０４…集塵袋、１０５…集塵室、１０６…フィルター、１０７…電動送風機、１０８…コードリール、１０９…パッキン、１１０…モーターカバー、１１１…インナーケース、１１２…防振ゴム、１１３…防振ゴム、１１４…円筒形リブ、１１５…吸音材、１１７…吸音材、１２０…排気通風路、１２１…排気通風路、１２２…排気通風路、１２３…上フィルター、１２４…フィルター収納室、１２５…格子、１２５ａ…格子、１２５ｂ…格子、１２６…フィルターオサエ、１２７…カザリシート、１３１…導光管、１３２…受光カバー、１３３…エンボス部、１４０…制御回路基板、１４１…表示素子（ＬＥＤ）、１４２…表示素子（ＬＥＤ）、１４３…受光素子、１４４…ＬＥＤホルダー、１４５…運転スイッチボタン、１５０…隔壁、１５１…電動送風機吸気口、１５２…格子部、１５３…電源コード、１５４…送風機部、１５５…電動機部、１５６…通風路、１６０…車輪、１７０…係爪、１７１…係合穴、１７２…口紙、１７３…クランプ、１７４…バネ、１７５…ストッパーリブ、１７６…排気口、１７７ａ…側面排気口、１７７ｂ…側面排気口、１７８…上部排気口、１７９…吸込口パッキン、１８０…電動送風機室、１８１…制御回路取付け面、１８２…突設リブ、１８３…突設リブ、１８４…制御回路室、１９０…コードリール室、１９１…段差、１９２…段差、１９３…段差、２０１…本体側継手、２０２…握手部、２２０…気密保持リブ、３０１…ホース、４０１…手元操作部、６０１…延長管、７０１…吸口体。
【図１】
2004236931.tif 000003
【図２】
2004236931.tif 000004
【図３】
2004236931.tif 000005
【図４】
2004236931.tif 000006
【図５】
2004236931.tif 000007
【図６】
2004236931.tif 000008
【図７】
2004236931.tif 000009
【図８】
2004236931.tif 000010
【図９】
2004236931.tif 000011